(57)【要約】【課題】  メモ用紙ブロック体をカバー用紙により完全に保護し、かつ使用時においてカレンダー等の表示が可能なメモパッドを提供する。【解決手段】  剥離可能に綴じ合わされたメモ用紙ブロック体２とカレンダー４等の表示体付きカバー用紙３との組合せからなるメモパッドにおいて、当該カバー用紙３が背面２ｂ部分においてメモ用紙ブロック体２に固着され、メモ用紙の不使用時には、当該カバー用紙３が、メモ用紙ブロック体の上面２ｕ、前面２ｆ、底面２ｇと前記背面の４面を包囲して保護し、メモ用紙の使用時においては、当該カバー用紙３の、メモ用紙ブロック体２の底面、前面、および上面を保護する部分を反転して、前記カレンダー４等の表示体がメモ用紙ブロック体２の背面２ｂ部分から起立して傾斜状態で表示され、かつ使用、不使用の両時においてカバー用紙３の先端部の差し込み片をスリット孔に差し込みして固定可能にされていることを特徴とする。【選択図】    図１
2008000933.tif 000002
【特許請求の範囲】
【請求項１】
複数枚のメモ用紙の一端が接着剤により剥離可能に綴じ合わされてなるメモ用紙ブロック体とそれを包囲するカレンダー付きカバー用紙との組合せからなるメモパッドにおいて、当該カバー用紙が前記接着剤からなる綴じ合わせ背面部分においてメモ用紙ブロック体に固着されており、メモ用紙の不使用時には、当該カバー用紙が、メモ用紙ブロック体の上面と前面と底面、および前記背面の４面を包囲して保護し、かつカバー用紙の先端部の差し込み片をカバー用紙のスリット孔に差し込みして固定可能にされており、メモ用紙の使用時においては、当該カバー用紙の、メモ用紙ブロック体の底面と前面、および上面を保護する部分を反転して立ち上げし、前記カレンダーがメモ用紙ブロック体の背面部分から起立して傾斜状態で表示され、かつカバー用紙の先端部の前記差し込み片を前記スリット孔からメモ用紙ブロック体の底面側に差し込みして固定可能にされていることを特徴とするカレンダー付きメモパッド。
【請求項２】
カバー用紙の、メモ用紙ブロック体に固着する背面部分の両側に、カバー用紙の底面側に差し込みして連結する補強片を有することを特徴とする請求項１記載のカレンダー付きメモパッド。
【請求項３】
カレンダーがメモ用紙の不使用時における、メモ用紙ブロック体の上面と接するカバー用紙面に印刷または貼付されていることを特徴とする請求項１または請求項２記載のカレンダー付きメモパッド。
【請求項４】
メモ用紙の不使用時における、カバー用紙の外面にもカレンダーが印刷または貼付されていることを特徴とする請求項１または請求項２記載のカレンダー付きメモパッド。
【請求項５】
複数枚のメモ用紙の一端が接着剤により剥離可能に綴じ合わされてなるメモ用紙ブロック体とそれを包囲する表示体付きカバー用紙との組合せからなるメモパッドにおいて、当該カバー用紙が前記接着剤からなる綴じ合わせ背面部分においてメモ用紙ブロック体に固着されており、メモ用紙の不使用時には、当該カバー用紙が、メモ用紙ブロック体の上面と前面と底面、および前記背面の４面を包囲して保護し、かつカバー用紙の先端部の差し込み片をカバー用紙のスリット孔に差し込みして固定可能にされており、メモ用紙の使用時においては、当該カバー用紙の、メモ用紙ブロック体の底面と前面、および上面を保護する部分を反転して立ち上げし、前記表示体がメモ用紙ブロック体の背面部分から起立して傾斜状態で表示され、かつカバー用紙の先端部の前記差し込み片を前記スリット孔からメモ用紙ブロック体の底面側に差し込みして固定可能にされていることを特徴とする表示体付きメモパッド。
【請求項６】
カバー用紙の、メモ用紙ブロック体に固着する背面部分の両側に、カバー用紙の底面側に差し込みして連結する補強片を有することを特徴とする請求項５記載の表示体付きメモパッド。
【発明の詳細な説明】
【技術分野】
【０００１】
本発明は、カレンダー付きメモパッドと表示体付きメモパッドに関する。具体的には、複数枚のメモ用紙からなるメモ用紙ブロック体が接着剤だけで背面部分に剥離可能に綴じ合わされてなり、そのメモ用紙を一枚ずつ剥がして使用するタイプのはぎ取り型のメモパッドに関するが、メモパッドを包囲して保護するカバー用紙を有し、当該カバー用紙がメモ用紙の不使用時と使用時において、相互に互換可能に異なる形態となり、少なくとも使用時におていカレンダーやその他の表示体が表示可能にされているため、便利に取り扱いができるカレンダー付きメモパッドと表示体付きメモパッドに関するものである。
【背景技術】
【０００２】
従来から、一枚ずつ用紙をはぎ取りして使用可能な冊子として無線綴じタイプのはぎ取り冊子が利用されている。このタイプのはぎ取り冊子は、従来は、枚葉紙を丁合して所定サイズに断裁した後、針金綴じせずに、エマルジョン系の糊を用いて背の部分を綴じ合わせることで作製されている。そして、表紙となる台紙でくるんだ形態にするなどしてメモ帳やノート、さらには日めくりカレンダーなどとして利用されている。
【０００３】
近年、この従来のはぎ取り型に代えて、疑似接着剤により剥離可能に背固めされたメモ用紙等も広範に使用されるようになってきている。これらの背固めされたメモ用紙ブロック体は、裸の状態では、バラバラになり易く販売にも適さないので透明基材で厳重に包装したりして市販されている。しかし、この透明包装は利用者が使用時には剥離するので、家庭や職場における使用時には保護被覆がない状態となってしまう問題がある。
【０００４】
この問題を解決するため、はぎ取り冊子等に保護用紙を設けることも提案されている。特許文献１は、表紙付きはぎ取り冊子について提案し、特許文献２は、カレンダー付きメモ帳について提案し、特許文献３は、カバーつきメモパッドを提案している。
しかし、特許文献１のはぎ取り冊子の表紙２０は、単に、はぎ取り冊子の本文１０の上面と背面と底面を保護するだけで、十分に冊子を保護する形態とは考えられない。また、本願のようにカレンダー等の表示をする機能を有してはいない。
特許文献２のカレンダー付きメモ帳は、カレンダーを表示する構成は本願と共通するが、カレンダーの取り付けの方法が本願と相違し、カバー用紙ともなる台紙は本願のようにメモ用紙ブロック体の４面を包囲する形態とは相違している。特許文献３のカバーつきメモパッドもカレンダー表示を持たず、表カバーと裏カバーの構成や固定方法は本願と異なる方法を採用している。
【０００５】
【特許文献１】特開２００３−１６５２８４号公報
【特許文献２】特開２００５−１０４１２２号公報
【特許文献３】実開平３−７４９８０号公報
【０００６】
近年、再剥離再接着性のメモ用紙は、その便利さから大量に使用されるようになり、机上にも定常的に置かれることが多くなってきている。この場合、メモ用紙ブロック体にカレンダー表示がされていると、デスクカレンダーに代えて使用でき、利便性が高まる。
カレンダー以外の装飾的な表示体や情報表示体等の場合も、家庭や職場を楽しくでき同様の効果を奏する。
【発明の開示】
【発明が解決しようとする課題】
【０００７】
上記のように、メモ用紙ブロック体を不使用時（販売時等）において完全に保護するカバー用紙を設けること、購入後の使用状態でもメモ用紙ブロック体を保護すると共に、カレンダーや他の装飾体や有用な表示物の表示機能を果たして利便性を向上させること、使用状態と不使用状態の形態に互換性を持たせることを課題とするものである。
【課題を解決するための手段】
【０００８】
上記課題を解決する本発明の要旨の第１は、複数枚のメモ用紙の一端が接着剤により剥離可能に綴じ合わされてなるメモ用紙ブロック体とそれを包囲するカレンダー付きカバー用紙との組合せからなるメモパッドにおいて、当該カバー用紙が前記接着剤からなる綴じ合わせ背面部分においてメモ用紙ブロック体に固着されており、メモ用紙の不使用時には、当該カバー用紙が、メモ用紙ブロック体の上面と前面と底面、および前記背面の４面を包囲して保護し、かつカバー用紙の先端部の差し込み片をカバー用紙のスリット孔に差し込みして固定可能にされており、メモ用紙の使用時においては、当該カバー用紙の、メモ用紙ブロック体の底面と前面、および上面を保護する部分を反転して立ち上げし、前記カレンダーがメモ用紙ブロック体の背面部分から起立して傾斜状態で表示され、かつカバー用紙の先端部の前記差し込み片を前記スリット孔からメモ用紙ブロック体の底面側に差し込みして固定可能にされていることを特徴とするカレンダー付きメモパッド、にある。
【０００９】
上記カレンダー付きメモパッドにおいて、カバー用紙の、メモ用紙ブロック体に固着する背面部分の両側に、カバー用紙の底面側に差し込みして連結する補強片を有する、ようにすれば使用時におけるカバー用紙の強化を図ることができる。また、カレンダーがメモ用紙の不使用時における、メモ用紙ブロック体の上面と接するカバー用紙面に印刷または貼付されている、ようにすれば、メモ用紙の使用時に、前面からカレンダーを視認できる。さらに、メモ用紙の不使用時における、カバー用紙の外面にもカレンダーが印刷または貼付されている、ようにしてもよい。
【００１０】
上記課題を解決する本発明の要旨の第２は、複数枚のメモ用紙の一端が接着剤により剥離可能に綴じ合わされてなるメモ用紙ブロック体とそれを包囲する表示体付きカバー用紙との組合せからなるメモパッドにおいて、当該カバー用紙が前記接着剤からなる綴じ合わせ背面部分においてメモ用紙ブロック体に固着されており、メモ用紙の不使用時には、当該カバー用紙が、メモ用紙ブロック体の上面と前面と底面、および前記背面の４面を包囲して保護し、かつカバー用紙の先端部の差し込み片をカバー用紙のスリット孔に差し込みして固定可能にされており、メモ用紙の使用時においては、当該カバー用紙の、メモ用紙ブロック体の底面と前面、および上面を保護する部分を反転して立ち上げし、前記表示体がメモ用紙ブロック体の背面部分から起立して傾斜状態で表示され、かつカバー用紙の先端部の前記差し込み片を前記スリット孔からメモ用紙ブロック体の底面側に差し込みして固定可能にされていることを特徴とする表示体付きメモパッド、にある。
【００１１】
上記表示体付きメモパッドにおいて、カバー用紙の、メモ用紙ブロック体に固着する背面部分の両側に、カバー用紙の底面側に差し込みして連結する補強片を有する、ようにすれば使用時におけるカバー用紙の強化を図ることができる。
【発明の効果】
【００１２】
（１）本発明のカレンダー付きメモパッド（請求項１）は、使用時にも不使用時にも、メモ用紙ブロック体がカバー用紙により保護されているので、メモ用紙ブロック体が剥離して散逸することがない。また、カバー用紙の折り畳みや組み立てにより使用状態と不使用状態を任意に変更できるので、一度使用状態にした場合は、再びカバー用紙を折り畳みできなくなるというような問題がない。
（２）使用時には、カレンダーが表示されるので、机の上に定常的に置いても便利に使用できる。不使用状態にもカレンダーを表示する形態の場合（請求項４）は、販売時点でもカレンダーの効用が認識され、商品効果を高くできる。
【００１３】
（３）本発明の表示体付きメモパッド（請求項５）は、メモ用紙ブロック体を保護すると共に、各種の広告宣伝物や立体表示物（ホログラムや回折格子パターン）、有用な情報表示等ができるので、多様な表示媒体としても使用可能になる。
（４）カレンダー付きメモパッドも表示体付きメモパッドも、カバー用紙が紙片の折り畳み構造であって、差し込み片により強固な組み立て構造になっているので、１年間連続して使用してもメモパッドが破損することがない。請求項２，６のように補強片を設ける場合は、なお一層構造的に強化される。
（５）カレンダー付きメモパッドも表示体付きメモパッドも、カバー用紙が紙片の折り畳み構造であって、印刷と紙加工の簡易な製造工程で製造でき、全体として製造原価を安くすることができる。
【発明を実施するための最良の形態】
【００１４】
本発明は、カレンダー付きメモパッドと表示体付きメモパッドに関するが、実用的にはカレンダー付きメモパッドがポピュラーな形態と考えられる。従って以下は、本発明の実施形態について、主としてカレンダー付きメモパッドを例として説明するが、本発明は、この実施例に限定されるものではない。
なお、以下において、第１形態と第２形態とは、ブランク板の打ち抜き形状が異なり、第２形態は第１形態よりも多少強化したブランク板構造を有するが、使用方法等は実質的に同一のものである。
【００１５】
図１は、本発明の第１形態のカレンダー付きメモパッドの使用状態を示す図、図２は、第１形態の側面図、図３は、第２形態の側面図、図４は、不使用時におけるカレンダー付きメモパッドの外観図、図５は、カレンダー付きメモパッドを使用状態にする組み立て側面図、図６は、第１形態のカバー用紙のブランク板展開図、図７は、第２形態のカバー用紙のブランク板展開図、図８は、カバー用紙とメモ用紙ブロック体を一体にする工程の説明図、図９と図１０は、第２形態のカバー用紙の組み立て工程を説明する図、である。
【００１６】
図１は、本発明の第１形態のカレンダー付きメモパッドの使用状態を示す図である。
図１のように、カレンダー付きメモパッド１は、メモ用紙ブロック体２が、その背面２ｂでカバー用紙３に固着されている。メモ用紙ブロック体２は、複数枚のメモ用紙からなるとしているが、通常は数十枚から数百枚の同一サイズ、厚みのメモ用紙が積層したブロック体になっている。メモ用紙自体は剥離可能に綴じ合わせされているが、メモ用紙ブロック体２とカバー用紙３との固着部分からも破損することなく剥離可能にされていなければならない。メモ用紙の大きさは特に限定されないが、７５ｍｍ×７５ｍｍの正方形状のもの等が市販されている。もっと大きな長方形状であっても勿論構わない。
メモ用紙ブロック体２の厚みも限定されないが、３００枚の積層体では３０ｍｍ程度の厚みとなる。一日一枚の使用を前提とすると、年間では３００〜４００枚となる。
【００１７】
カバー用紙２は、図１の使用状態においては、メモ用紙２ｐを自由に剥離して使用できるように、メモ用紙ブロック体２の前面２ｆと側面２ｓ、上面２ｕ側は開放された面になっているが、背面２ｂと底面２ｇは、カバー用紙３で覆われて保護されている。
図１の状態は、不使用時におけるメモ用紙ブロック体２の底面と前面、および上面を保護する部分のカバー用紙３を起立させて反転した状態であって、背面２ｂ部分から起立した上面２ｕ側カバー用紙の面にカレンダー４が傾斜して表示された状態になっている。
カバー用紙３の各折り曲げ部には折り線３ｋが形成されて折り曲げ易くされている。後に詳述するが、反転したカバー用紙３の底面２ｇ側折り片３７の先端部分には差し込み片を有し、当該差し込み片をカバー用紙３の底面側折り片３３と背面側折り片３４の間に開口するスリット孔に差し込みして固定可能にされている。
【００１８】
図２は、第１形態の側面図である。図２のように、カバー用紙３の折り片３１がメモ用紙ブロック体２の背面２ｂ部分に固着し、折り片３２がメモ用紙ブロック体２の底面２ｇに接触し、前端３ｆで折り返して折り片３３に繋がっている。折り片３２とメモ用紙ブロック体２の底面２ｇ間は全面で接着してなくてよいが、折り片３１側に沿って、図示しないテープ状の接着材を挿入して強固に接着するのが好ましい。次いで、背面２ｂ側折り片３４を経てカレンダー４を有する折り片３５に接続している。折り片３５は、折り片３６との間で急角度に曲がって降下し、折り片３７に接続する。折り片３７の後端部に有する差し込み片（不図示）が、折り片３３と３４の間に設けられたスリット孔（不図示）に差し込みされて固定された状態になる。従って、図２では、メモ用紙ブロック体２の背面２ｂと底面２ｇは、２層の折り片で保護されていることになる。折り片３１と３４の間は接着剤で接着される。この第１形態については、展開図においてさらに説明する。
【００１９】
図３は、第２形態の側面図である。斜視図は、図１とほぼ同様に現れるので省略している。図３のように、第２形態は、メモ用紙ブロック体２の両側面に、カバー用紙３の底面２ｇ側に差し込みして連結する補強片４１，４２を有する点において相違している。補強片４１は図の反対側にあるので見えていない。補強片４１，４２を差し込みするため、メモ用紙ブロック体２の底面２ｇ側の折り片３２を折り畳みできるようにして、一部２層構造にした状態を示している。折り片３２は前端３ｆで折り返して折り片３３に接続している。従って、第２形態の底板は一部３層構造になる。この形態に限定されないが、底板が厚い方が机上では安定する。
【００２０】
メモ用紙ブロック体２の背面２ｂ部分には、折り片３１が固着しているが、別に折り片３０を有し折り片３４に対して折り片３０が接着して接続する構造を採用している。しかし、背面構造はこの構造に限定されるものではなく、図２の構造であっても構わない。
図３のように、折り片３１と３４との間に折り片３０が入る場合は、クッション作用を行い。外力が加わった場合も、メモ用紙ブロック体２がカバー用紙３から分離してしまう危険性が少なくなると考えられる。折り片３４はカレンダー４を有する折り片３５に接続している。折り片３５は折り片３６との間で急角度に曲がり、折り片３７に接続する。
折り片３７の後端部に有する差し込み片（不図示）が、折り片３３と３４の間に設けられたスリット孔（不図示）に差し込みされて固定された状態になる。この差し込み構造は、第１形態と同一である。この第２形態についても、展開図においてさらに説明する。
【００２１】
図４は、不使用時におけるカレンダー付きメモパッドの外観図である。製品の製造・出荷の段階、販売時点ではこの形態にあるのが、容積が小さく好ましいと考えられる。
図４は、第１形態の場合であって、図４（Ａ）は、差し込み片３８をスリット孔３ｓに差し込む直前の状態、図４（Ｂ）は、差し込み片３８をスリット孔３ｓに差し込みした後の状態である。図４（Ａ）のように、差し込み片３８をスリット孔３ｓから背面板を形成する折り片３１と３４の隙間に差し込みして固定すると、図４（Ｂ）の形態になる。
【００２２】
この不用時の状態では、カバー用紙３がメモ用紙ブロック体２の上面２ｕ部分と前面２ｆ、底面２ｇ側と背面２ｂ側の４周面を保護する形態になっている。底面側は、カバー用紙の折り片３２，３３と折り片３７により３重に覆われる形態になる。側面２ｓはカバー用紙で覆われていないが、メモ用紙ブロック体２の平面面積に対して、カバー用紙３の上面２ｕと底面２ｇの面積を多少大きくすれば、損傷を受けることは少ない。
図４は、第１形態であるが、第２形態の場合は、図４（Ｂ）の側面に破線で示す補強片４２が現れることの違いのみで同様の外観形態となる。この不使用時において、カバー用紙２のいずれかの外面にもカレンダーが印刷または貼付されていてもよい。
【００２３】
図５は、カレンダー付きメモパッドを使用状態にする組み立て側面図である。
カレンダー付きメモパッド１の不使用状態から、差し込み片３８をスリット孔３ｓからはずして（図５（Ａ））、折り片３７と３６、および折り片３５を立ち上げて反転させる（図５（Ｂ））。各折り線３ｋはいずれの方向にも折り曲げ可能にされている。
最後に、差し込み片３８をスリット孔３ｓに再び差し込みして固定する（図５（Ｃ）、（Ｄ））。図５（Ｄ）の状態から片３８をさらに完全に差し込みして完成状態になる。
【００２４】
ただし、使用時は、折り片３２と３３の間の隙間の方向に片３８を差し込みするようにする。これにより、メモ用紙ブロック体２の上面２ｕ部分に接していたカレンダー４が起立し、背面２ｂ部分の折り片３４の上に傾斜状態で表示される。図４の場合は、第１形態であるが、第２形態の使用方法も同様である。
本発明のカレンダー付きメモパッド１は、上記のような使用状態から、再び折りたたんで不使用状態にすることができ、その形態を任意に互換可能で、一度使用状態にしたら元の状態に戻らないということはない。
【００２５】
カレンダー４は印刷または貼付されたものとする。カバー用紙３に直接印刷の場合は年間カレンダーとなる。貼付する場合は別の用紙に印刷した月めくり型、または２か月毎の月めくり型等にできる。カレンダー４自体も、はぎ取り型とするのが好ましい。
請求項５の表示体付きメモパッドの場合の表示体には、各種の広告宣伝物やホログラム等の立体表示物、回折格子パターン、有用な情報表示等、各種の表示物を採用できる。
また、メモ用紙２ｐ自体にも表示印刷がされていてもよいものである。例えば、不在時の受け電話の連絡事項、時刻等の記入欄の印刷である。
【００２６】
次に、カレンダー付きメモパッドの製造方法について説明する。まず、カバー用紙２を印刷済みの板紙等の比較的厚みのある紙材料から打ち抜きしてブランク板を製造する。
図６は、第１形態のカバー用紙のブランク板展開図である。第１形態のブランク板３Ａは、折り片３１から折り片３８が連続した形態になっている。各折り片の間は折り線３ｋになっていて、いずれかの方向に折り曲げして組み立てされる。折り片３１には、メモ用紙ブロック体２が接着されて固定される。折り片３８は差し込み片でもあり、不使用状態、使用状態のいずれの場合もスリット孔３ｓに差し込みし固定するために用いられる。
【００２７】
図７は、第２形態のカバー用紙のブランク板展開図である。第２形態のブランク板３Ｂは、折り片３０から折り片３８までが直線状に連続した形態であり、最後端部に差し込み片３８を有している。折り片３０は折り片３１と共に２重の背面板に用いられる。折り片３１から折り片３８までの機能は、第１形態と同様のものである。
折り片３９，４０は、折り片３２，３３間の底板側に折り曲げられて補強に用いられる。折り片４１，４２は前記のように底板と背面板を連結して側面の補強に用いられる。その際、差し込み片４３，４４をスリット孔３ｈ，３ｉに差し込みする。
【００２８】
図８は、第１形態のカバー用紙の組み立て工程を説明する図である。説明中の符号は、、図６にも対応するので、同図も参照していただきたい。なお、以下において、谷折りとは、折り線２ｋの両側の折り片を、図の手前において接近させる折り方、山折りとは、その反対の折り方をいうものとする。また、カレンダー４の図示は省略しているが、折り片３５に設けられるものである。
【００２９】
まず、折り片３１と３２間を谷折りし、折り片３２と３３間を山折りする。従って、折り片３２と３３は２層からなる底板を形成することになる。スリット孔３ｓがある折り線３ｋを谷折りして、折り片３１と３４間を接着して背面板を形成する（図８（Ａ））。
次の段階で、メモ用紙ブロック体２の接着剤により剥離可能に綴じ合わされてなる一端（背面２ｂ）を、折り片３１，３２に接着して固定する。折り片３１への接着にはホットメルト性接着テープ６を、折り片３２に対しては疑似接着剤７を用いる（図８（Ｂ））。  カレンダー４を折り片３５に取り付けする。続いて、メモ用紙ブロック体２の上面２ｕに沿って、折り片３５を重ね、順次、折り片３６，３７を、メモ用紙ブロック体２の前面２ｆ、底面２ｇに沿って重ねる（図８（Ｃ））。
最後に、差し込み片でもある折り片３８を、スリット孔３ｓに差し込みして、第１形態のカレンダー付きメモパッド１（不使用状態）が完成する（図８（Ｄ））。
【００３０】
図９と図１０は、第２形態のカバー用紙の組み立て工程を説明する図である。説明中の符号は、図７にも対応するので、同図も参照していただきたい。
まず、折り片３０と３１間を谷折りする。両片間は接着しなくてもよい（図９（Ａ））。次に、折り片３９と４０を谷折りし、折り片３３を被せて、底板となる折り片３２と３３の間に挿入した状態にする。その際、補強片４１と４２を折り片３１に対して、山折りする（図９（Ｂ））。
【００３１】
折り片３２と３３間を谷折りした折り線３ｋは、底板の前端３ｆとなる部分である。スリット孔３ｓのある折り線を谷折りして、折り片３４を折り片３０に沿って立ち上げする（図９（Ｃ））。折り片３０と折り片３４間は、糊付けして固定し、折り片４３と折り片４４をスリット孔３ｈ，３ｉにそれぞれ差し込みする（図１０（Ｄ））。
次に、メモ用紙ブロック体２の剥離可能に綴じ合わされてなる一端（背面２ｂ）を、折り片３１と折り片３２に接着する。この工程は、第１形態と同様に接着テープ６と疑似接着剤７を用いるのが好ましい。折り片３５，３６，３７をメモ用紙ブロック体２に沿って巻き付けする（図１０（Ｅ））。以降は、第１形態と同様に加工して、第２形態のカレンダー付きメモパッド１（不使用状態）が完成する（図１０（Ｆ））。
【００３２】
上記において、メモ用紙ブロック体２の剥離可能に綴じ合わされている一端（背面２ｂ）を、折り片３１に接着して固定するが、この接着を強固に行うとメモ用紙２ｐ自体が、剥離の際に破損してしまう問題を生じる。メモ用紙ブロック体２の背面２ｂに接着剤の浸透等を防止する機能があり、メモ用紙ブロック体２を折り片３１に固定する接着剤が、メモ用紙２ｐ自体の剥離に影響を与えない場合は、強力な接着剤を用いても構わない。
その影響が明らかでない場合は、疑似接着剤等を用いて、メモ用紙２ｐの剥離性に影響を与えないようにすることが好ましい。ただしその場合には、メモ用紙ブロック体２自体の固定が損なわれない（ブロックごとそっくり取れてしまう。）ように、底面２ｇ側を前記のようにホットメルト性接着テープ６等で固定することが好ましい。
【００３３】
以上のように、本発明のカレンダー付きメモパッドと表示体付きメモパッドについて説明したが、本発明は上記実施例に限定されるものではない。
表示体を上記に記載しない特定のものに限定する発明等は本発明から当業者がきわめて容易にすることができる程度のことである。
【図面の簡単な説明】
【００３４】
【図１】本発明の第１形態のカレンダー付きメモパッドの使用状態を示す図である。
【図２】第１形態の側面図である。
【図３】第２形態の側面図である。
【図４】不使用時におけるカレンダー付きメモパッドの外観図である。
【図５】カレンダー付きメモパッドを使用状態にする組み立て側面図である。
【図６】第１形態のカバー用紙の打ち抜き後のブランク板展開図である。
【図７】第２形態のカバー用紙の打ち抜き後のブランク板展開図である。
【図８】第１形態のカバー用紙の組み立て工程を説明する図である。
【図９】第２形態のカバー用紙の組み立て工程を説明する図である。
【図１０】第２形態のカバー用紙の組み立て工程を説明する図である。
【符号の説明】
【００３５】
１    カレンダー付きメモパッド
２    メモ用紙ブロック体
２ｐ  メモ用紙
３    カバー用紙
３ｋ  折り線
３ｓ  スリット孔
４    カレンダー
６    接着テープ
７    疑似接着剤
【図１】
2008000933.tif 000003
【図２】
2008000933.tif 000004
【図３】
2008000933.tif 000005
【図４】
2008000933.tif 000006
【図５】
2008000933.tif 000007
【図６】
2008000933.tif 000008
【図７】
2008000933.tif 000009
【図８】
2008000933.tif 000010
【図９】
2008000933.tif 000011
【図１０】
2008000933.tif 000012